(57)【要約】      （修正有）【課題】折り畳み式やスライド式等２つの筐体を有する携帯端末装置において、セキュリティ保護を有効にするキー装置との距離を筐体の開閉状態にかかわらず常に一定にする。【解決手段】キー装置から送られるＩＤ情報を含む無線信号をアンテナ１０１を介して受信部１０２で受信し、受信電力測定部１０９で受信電力レベルを測定する。測定した受信電力レベルは、受信部１０２における部品のばらつきによる受信ゲインの変化を吸収する補正値と、状態検出部１１２で検出した筐体の開閉状態に対応するアンテナ特性の差を吸収する補正値によって補正し、補正した受信電力レベルをセキュリティロック判定部１１１で所定のしきい値と比較してその大小を判定する。ＣＰＵ部１０７は、補正後の受信電力レベルが所定のしきい値より小さい場合に、セキュリティ保護部１１３に対してロックをかける制御を行う。【選択図】図２
2008004988.tif 000002
【特許請求の範囲】
【請求項１】
開閉可能な少なくとも２つの筐体からなり、対になるキー装置との間で無線通信を行って受信電力を検出し、該受信電力が所定のしきい値を下回った際にセキュリティ保護を有効にする携帯端末装置であって、
前記２つの筐体の開閉状態を検出する筐体状態検出部と、
前記筐体状態検出部によって検出された前記２つの筐体の開閉状態に応じた第１の補正値で、前記受信電力を補正する受信電力補正部と、
を備える携帯端末装置。
【請求項２】
請求項１記載の携帯端末装置であって、
前記第１の補正値が、前記２つの筐体の開閉状態に応じたアンテナ利得の差より決定された携帯端末装置。
【請求項３】
請求項１または２記載の携帯端末装置であって、
前記受信電力補正部は、さらに、前記キー装置から送られた無線信号を受信する受信部の部品のばらつきに応じた第２の補正値で、前記受信電力を補正する携帯端末装置。
【請求項４】
請求項１または２記載の携帯端末装置であって、
前記第１の補正値を記憶するメモリ部をさらに備える携帯端末装置。
【請求項５】
請求項３記載の携帯端末装置であって、
前記第１の補正値と前記第２の補正値との少なくとも一つを記憶するメモリ部をさらに備える携帯端末装置。
【発明の詳細な説明】
【技術分野】
【０００１】
本発明は、対になるキー装置との間で無線通信を行うことによってセキュリティ保護を行う携帯端末装置に関する。
【背景技術】
【０００２】
携帯電話等の携帯端末装置は、近年、電話帳の検索機能や決済機能を有する非接触型ＩＣカードを搭載するなど著しく多機能化が進んでいる。それに伴って、装置を紛失したり盗難に遭った際に、第三者によって個人情報が不正に読み出されたり、或いはＩＣカード機能を利用して不正な決済が行われる等の危険性が増大するので、これを防止するためのセキュリティ保護が強く求められる。携帯電話においてセキュリティ保護を行う方法には、暗証番号の入力または指紋の照合によって携帯電話の所有者を認証する方法や、携帯電話と対になるキー装置を利用し、相互に近距離無線通信を行ってＩＤ認証を照合する方法などがある。
【０００３】
従来、携帯電話が様々な保持状態で利用されても、対になるキー装置との距離を通信状態に応じて調整しながら検出することにより、携帯電話のセキュリティを安定、かつ確実に保護するようにした例がある（例えば、特許文献１参照）。
【０００４】
【特許文献１】特開２００６−２０００４号公報
【発明の開示】
【発明が解決しようとする課題】
【０００５】
近年の携帯電話には、インターネットに接続した際の画像や、搭載したカメラで撮影した画像を見易くするために、大型の液晶パネルを搭載した折り畳み式やスライド式など、２つの筐体を開閉する構造を採用した機種が増えてきている。このような構造の携帯電話にキー装置と無線通信を行うためのアンテナを搭載すると、２つの筐体の開閉によって、アンテナと内蔵した電子部品との距離が変化し、その結果アンテナ特性に差が生じてしまうことがある。
【０００６】
図６及び図７は、携帯電話の２つの筐体を開いた時、及び閉じた時のアンテナ配置と、アンテナに近接する電子部品の位置関係を示す（ａ）平面図、（ｂ）断面図である。図６に示すように、液晶パネル３１を有する上部筐体３２と、操作キー３３を有する下部筐体３４が開いた状態の時は、第２の基板３７がアンテナ３６に接近しているが、図７に示すように、上部筐体３２と下部筐体３４が閉じた状態では、第２の基板３７に加え、液晶パネル３１と第１の基板３５もアンテナ３６に接近する。これにより、上部筐体３２と下部筐体３４の開閉に応じて、アンテナ特性に差が生じてしまう。
【０００７】
なお、図６、７に示した例では、アンテナ３６に接近する可能性のある電子部品として、液晶パネル３１、上部筐体３２及び第１の基板３５を挙げたが、携帯電話にはこれらの他にも、マイクロホン、スピーカ、カメラ、金属シャーシなどアンテナ特性に影響を与える可能性のある部品が多く搭載されており、それに伴って筐体の開閉時におけるアンテナ特性も複雑に変化する。
【０００８】
例えば、上部筐体３２と下部筐体３４の開閉時において、アンテナの利得に１０ｄＢの差が生じた場合、受信電力は測定値レベルで１０ｄＢの差があるように見えてしまう。従って、キー装置から送信された電波を受信し、その受信電力のレベルが所定の値を下回った際に、携帯電話とキー装置との距離が所定範囲を超えたと判断して携帯電話のセキュリティを保護する方法では、上部筐体３２と下部筐体３４の開閉によりセキュリティ保護を有効にするキー装置との距離が異なってしまうという問題が発生する。
【０００９】
図８は、キー装置との距離に対する携帯電話の受信電界レベルの変化を筐体の開閉状態をパラメータとして示した例である。上の曲線が開状態の受信電界レベルを示し、下の曲線が閉状態の受信電界レベルを示す。同図に示すように、携帯電話の受信電界レベルは、キー装置との距離と逆比例の関係にあるとともに、筐体が開いた時と閉じた時ではキー装置との距離にかかわらずおおよそ１０ｄＢｍの差があることがわかる。
【００１０】
従って、例えば、受信電界レベルの―８０ｄＢｍをしきい値として携帯電話にセキュリティロックをかけるようにした場合、筐体が閉じた時のキー装置との距離は３０ｍになるが、筐体が開いた時の距離は１０ｍになって、セキュリティロック範囲に２０ｍもの差が生じてしまう。
【００１１】
この問題を解決し、筐体の開閉時におけるアンテナ特性の差をなくすには、筐体の開閉いずれの状態においても、電子部品のアンテナへの接近が極力ないように筐体内部のスペースを十分に確保すればよいが、装置の大型化を招いて製品価値を落とすことになる。さらに、アンテナの設計工数が増加するという問題も新たに発生する。
【００１２】
また、上記した特許文献１は、セキュリティ保護を有効にするキー装置と携帯電話の距離を、携帯電話の様々な保持状態によって調整するもので、折り畳み式、或いはスライド式携帯電話における２つの筐体の開閉状態を考慮したものではない。
【００１３】
本発明は、上記事情に鑑みてなされたもので、折り畳み式、或いはスライド式など少なくとも２つの筐体を有する携帯端末装置において、セキュリティ保護を有効にするキー装置との距離を筐体の開閉状態にかかわらず常に一定にすることのできる携帯端末装置を提供することを目的とする。
【課題を解決するための手段】
【００１４】
本発明の携帯端末装置は、開閉可能な少なくとも２つの筐体からなり、対になるキー装置との間で無線通信を行って受信電力を検出し、該受信電力が所定のしきい値を下回った際にセキュリティ保護を有効にする携帯端末装置であって、前記２つの筐体の開閉状態を検出する筐体状態検出部と、前記筐体状態検出部によって検出された前記２つの筐体の開閉状態に応じた第１の補正値で、前記受信電力を補正する受信電力補正部と、を備えるものである。前記第１の補正値は、前記２つの筐体の開閉状態に応じたアンテナ利得の差より決定される。
【００１５】
この構成により、２つの筐体の開閉状態によってアンテナ特性に差が生じ、それに応じて受信電力が相違しても、セキュリティ保護を有効にするキー装置との距離を常に一定にすることができる。
【００１６】
また、本発明の一態様として、上記の携帯端末装置において、前記受信電力補正部は、さらに、前記キー装置から送られた無線信号を受信する受信部の部品のばらつきに応じた第２の補正値で、前記受信電力を補正するものも含まれる。
【００１７】
この構成により、２つの筐体の開閉状態によって生じるアンテナ特性の差に起因する受信電力の相違に加え、受信部における部品のばらつきによって受信ゲインに変動がある場合でも、受信電力セキュリティ保護を有効にするキー装置との距離を常に一定にすることができる。
【００１８】
さらに、本発明の一態様として、上記の携帯端末装置において、前記２つの筐体の開閉状態に応じた第１の補正値と、前記受信部の部品のばらつきに応じた第２の補正値の少なくとも一つを記憶するメモリ部を備えるものも含まれる。
【００１９】
この構成により、筐体の開閉状態に対応する受信電力の補正値や、受信部における部品のばらつきによって生じる受信ゲインの変動を補正する補正値などのデータ変更が容易になり、設計の自由度が向上する。
【発明の効果】
【００２０】
本発明によれば、折り畳み式、或いはスライド式など２つの筐体を有する携帯端末装置において、セキュリティ保護を有効にするキー装置との距離を筐体の開閉状態にかかわらず常に一定にすることができる携帯端末装置を提供できる。
【発明を実施するための最良の形態】
【００２１】
本発明の実施形態では、セキュリティを保護する携帯端末装置として、携帯電話を例示する。図１は、対になるキー装置によって携帯電話のセキュリティを保護するセキュリティ保護システムの概略構成を示す図である。
【００２２】
本実施形態に係る携帯電話のセキュリティ保護システムでは、携帯電話１と、対になるキー装置２との間で、アンテナ１０１、２０１を介して予め定められたＩＤ情報をブルートゥース等の短距離無線通信を用いて相互に送受信する。
【００２３】
携帯電話１には、決済機能を有する非接触型ＩＣカードや、電話帳検索機能等のセキュリティを保護する対象であるセキュリティ保護部１１３が含まれる。
【００２４】
キー装置２は、カードや鍵などの持ち運びに便利な形態を有し、携帯電話１の利用者がポケットやバッグ等に入れて携帯電話１と所定の距離範囲内で無線通信を行う。
【００２５】
携帯電話１は、キー装置２との間で無線通信を行ってその受信電力が所定のしきい値を超えている間は、セキュリティ保護部１１３のロックを解除してその使用を可能にするが、紛失や置き忘れ、盗難等によりキー装置２との距離が所定範囲を超えて受信電力が所定のしきい値を下回ると、セキュリティ保護部１１３に対してセキュリティロックをかけて携帯電話１の使用を制限し、非接触型ＩＣカードの不正使用や電話帳検索など個人情報の漏洩を防止する。
【００２６】
以下、本実施形態に係る携帯電話１及びキー装置２の各構成と、動作について図面を用いて説明する。
【００２７】
図２は、本発明の実施形態に係る携帯電話の概略構成を示す図である。同図に示すように、携帯電話１は、アンテナ１０１、受信部１０２、復調部１０３、信号処理部１０４、変調部１０５、送信部１０６、ＣＰＵ部１０７、メモリ部１０８、受信電力測定部１０９、受信電力補正部１１０、セキュリティロック判定部１１１、状態検出部１１２、セキュリティ保護部１１３を有して構成される。
【００２８】
図３は、本発明の実施形態に係るキー装置の概略構成を示す図である。同図に示すように、キー装置２は、アンテナ２０１、受信部２０２、復調部２０３、信号処理部２０４、変調部２０５、送信部２０６、ＣＰＵ部２０７、メモリ部２０８を有して構成される。
【００２９】
次に、以上のように構成された携帯電話１及びキー装置２の動作について説明する。
【００３０】
キー装置２は、ＣＰＵ部２０７の制御の下に、メモリ部２０８に記憶してある固有のＩＤ情報を読み出し、信号処理部２０４で符号化等の信号処理を行った後、変調部２０５で所定の搬送波により変調する。変調したＩＤ情報は送信部２０６で増幅し、アンテナ２０１から電波として放射する。
【００３１】
携帯電話１は、キー装置２から放射された電波をアンテナ１０１を介して受信部１０２で受信し、復調部１０３で復調する。復調された信号は信号処理部１０４で復号化され、ＩＤ情報の認証照合を行う。
【００３２】
認証が取れると、信号処理部１０４からＣＰＵ部１０７に対して認証が取れたことを通知すると共に、認証が取れたことを示す応答信号を生成して変調部１０５で変調し、送信部１０６で増幅してアンテナ２０１から電波として放射する。
【００３３】
一方、受信部１０２の出力の一部を受信電力測定部１０９に分岐して入力し、受信電力レベルを測定する。受信電力補正部１１０は、ＭＲセンサ等からなる状態検出部１１２によって検出された筐体の開閉状態に応じ、測定した受信電力レベルに対して次の算式により補正を行う。
【００３４】
筐体が開いている時
ＲＳＳＩ_after＝ＲＳＳＩ_before＋Ｘ―Ｙ・・・（１）
筐体が閉じている時
ＲＳＳＩ_after＝ＲＳＳＩ_before＋Ｘ・・・・・（２）
ここで、ＲＳＳＩ_afterは補正後の受信電力レベル、ＲＳＳＩ_beforeは補正前の受信電力レベルを表し、Ｘは部品のばらつきによる受信ゲインの変化を吸収する補正値（第２の補正値）、Ｙは筐体の閉じた時を基準にして、筐体が開いた時のアンテナ特性の差を吸収する補正値（第１の補正値）である。なお、これらの補正値Ｘ、Ｙはメモリ部１０８に予め保存してあるデータを基にしてＣＰＵ部１０７から設定される。
【００３５】
図４は、受信部１０２の部品のばらつきによる受信ゲインの変化を吸収するための補正値を説明するための図である。図４において、部品のばらつきによって受信部１０２のゲインが低くなれば入力レベルに対して出力レベルも低くなってしまい、逆に受信部ゲインが高くなれば入力レベルに対して出力レベルも高くなるので、これらの傾向を個別に工程等で調整することで吸収することが可能になり、ここでの調整値をＸとする。一般的な受信電力レベルの測定には、受信部１０２で増幅した信号をローパスフィルタ等で積分し、電圧信号として取り出すため、受信部のゲイン差によって測定値に差が出てしまう可能性がある。
【００３６】
図５は、筐体の開閉状態によって生じるアンテナ特性の差を吸収するための補正値Ｙを説明するための図である。図５において、筐体を閉じた時を基準とし、筐体を開いた時のアンテナ利得の増加分をＹで打ち消すように設定する。これにより、筐体の開閉時におけるアンテナ利得の差を吸収することができる。
【００３７】
受信電力補正部１１０で補正された受信電力レベルＲＳＳＩ_afterは、セキュリティロック判定部１１１で所定のしきい値と比較し、大小の判定結果をＣＰＵ部１０７へ通知する。
【００３８】
ＣＰＵ部１０７は、受信電力レベルＲＳＳＩ_afterが所定のしきい値より小さい場合に、決済機能を持つ非接触ＩＣや電話帳検索機能など、セキュリティを保護する対象を含むセキュリティ保護部１１３に対してロックをかける制御を行う。一方、受信電力レベルＲＳＳＩ_afterが所定のしきい値より大きい場合は、セキュリティ保護部１１３のロックを解除する制御を行う。
【００３９】
以上説明したように、このような本発明の実施形態に係る携帯電話１によれば、受信部１０２における部品のばらつきによる受信ゲインの変化、及び筐体の開閉時におけるアンテナ利得の差にかかわらず、見かけ上の受信電力をキー装置２との通信距離毎に一定にすることができ、セキュリティ保護を有効にするキー装置２との距離を一定に保つことが可能となる。
【００４０】
尚、上述した実施形態では携帯電話１は折り畳み式のものであるが、本発明はスライド式等少なくとも２つの筐体を含み、筐体間の開閉状態が変化する携帯端末装置に適用可能なものである。
【００４１】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００４２】
本発明の折り畳み式、或いはスライド式など少なくとも２つの筐体を有する携帯端末装置は、セキュリティ保護を有効にするキー装置との距離を筐体の開閉状態にかかわらず常に一定にすることができる効果を有し、携帯電話やＰＤＡ等の携帯端末装置、パソコン等の情報処理装置に有用である。
【図面の簡単な説明】
【００４３】
【図１】本発明の実施形態に係る携帯電話のセキュリティ保護システムの概略構成を示す図
【図２】本発明の実施形態に係る携帯電話の概略構成を示す図
【図３】本発明の実施形態に係るキー装置の概略構成を示す図
【図４】本実施形態に係る携帯電話の受信部における部品のばらつきによる受信ゲインの変化を吸収するための補正値を説明するための図
【図５】本実施形態に係る携帯電話の筐体の開閉状態によるアンテナ特性の差を吸収する補正値を説明するための図
【図６】（ａ）は折り畳み式携帯電話の２つの筐体を開いた時におけるアンテナの配置と、アンテナに近接する電子部品の位置関係を示す平面図であり、（ｂ）は同断面図
【図７】（ａ）は折り畳み式携帯電話の２つの筐体を閉じた時におけるアンテナの配置と、アンテナに近接する電子部品の位置関係を示す平面図であり、（ｂ）は同断面図
【図８】折り畳み式携帯電話の筐体開閉時における通信距離と受信電界レベルの関係を示す図
【符号の説明】
【００４４】
１  携帯電話
２  キー装置
１０１  アンテナ
１０２  受信部
１０７  ＣＰＵ部
１０８  メモリ部
１０９  受信電力測定部
１１０  受信電力補正部
１１１  セキュリティ判定部
１１２  状態検出部
１１３  セキュリティ保護部
【図１】
2008004988.tif 000003
【図２】
2008004988.tif 000004
【図３】
2008004988.tif 000005
【図４】
2008004988.tif 000006
【図５】
2008004988.tif 000007
【図６】
2008004988.tif 000008
【図７】
2008004988.tif 000009
【図８】
2008004988.tif 000010